(57)【要約】【課題】人感センサの検出出力により照明の制御を行うにも拘らず、人に違和感を与えることがなく、また省エネを実現する。【解決手段】所定観察時間毎に、検知信号を受け取る回数を、当該人感センサ機器に対応する人検知カウンタをインクリメントし、人検知カウンタのカウント値が規定以上であるかを検出する（Ｓ１２）。ステップＳ１２にてＹＥＳへ分岐した場合には遅延時間はその上限値になっているかを検出し（Ｓ１６）、上限値になっていない場合には遅延時間を３分増加させて直ぐには照明出力量を無人状態の規定値に低下させ難くする。また、ステップＳ１２にてＮＯへ分岐した場合には遅延時間はその下限値になっているかを検出し（Ｓ１３）、下限値になっていない場合には遅延時間を３０秒減少させ、照明出力量を無人状態の規定値に低下させるまでの時間を短くし省エネがなされるように制御する。【選択図】図４
2008235121.tif 000002
【特許請求の範囲】
【請求項１】
照明負荷が接続され、送信された照明制御情報に応じて照明負荷を制御する制御端末器と；
人の存在を検出すると、検知信号を送信する人感センサ機器と；
人感センサ機器から検知信号を受け取り、所定観察時間毎の検知信号の受信回数に応じて照明負荷による照明出力量を制御する照明制御情報を、この人感センサ機器に対応する制御端末器へ送信する中央制御装置と；
を具備することを特徴とする照明制御システム。
【請求項２】
中央制御装置は、所定観察時間内の検知信号の受信回数が所定値以上であれば、照明出力量を人の存在を検出したときから無人状態の規定値に低下させるまでの遅延時間を長くし、所定観察時間内の検知信号の受信回数が所定値未満であれば、照明出力量を無人状態の規定値に低下させるまでの遅延時間を短くする制御を行うことを特徴とする請求項１に記載の照明制御システム。
【請求項３】
中央制御装置は、遅延時間を経過した人感センサ機器を検出すると、当該人感センサ機器に対応する制御端末器に対し、この人感センサ機器周囲の照明状態情報に基づいて決定した照明制御情報を送ることを特徴とする請求項１または２に記載の照明制御システム。
【発明の詳細な説明】
【技術分野】
【０００１】
この発明は、人感センサ機器により人の存在を監視しながら、適切な照明状態を提供する照明制御システムに関するものである。
【背景技術】
【０００２】
引用文献１には、人感センサにより人の検出が行われた前々回の検出時間間隔が前回の検出時間間隔よりも長くなっていればその差に応じて遅延時間を短くして省エネを図り、逆に検知時間間隔が短くなっていれば、遅延時間を長くして人に不安感や違和感を与えないようにした照明制御装置が記載されている。
【０００３】
しかしながら、このように直近の２回の人体検知時間間隔の差に応じて遅延時間の設定を行う場合には、その場に人が長時間存在するが人の動きが徐々に少なくなると、遅延時間が徐々に短くなり、人に不快感を与える制御が行われる可能性があった。また、複数のエリアをそれぞれに対応する人感センサの検出出力に基づいて照明制御を行う場合には、人が検知されていないエリアとその周囲の人が検知されているエリアの明るさの差が大きく、執務者に違和感を与えるという問題があった。
【特許文献１】特開平７−３１２２９５号公報
【発明の開示】
【発明が解決しようとする課題】
【０００４】
本発明は上記のような従来の照明制御システムにおける現状に鑑みてなされたもので、その目的は、人感センサの検出出力により照明の制御を行うにも拘らず、人に違和感を与えることがなく、また省エネを実現することが可能な照明制御システムを提供することである。更に、不自然な照明状態になることを防止する照明制御システムを提供することを目的とする。
【課題を解決するための手段】
【０００５】
本発明に係る照明制御システムは、照明負荷が接続され、送信された照明制御情報に応じて照明負荷を制御する制御端末器と；人の存在を検出すると、検知信号を送信する人感センサ機器と；人感センサ機器から検知信号を受け取り、所定観察時間毎の検知信号の受信回数に応じて照明負荷による照明出力量を制御する照明制御情報を、この人感センサ機器に対応する制御端末器へ送信する中央制御装置と；を具備することを特徴とする。
【０００６】
所定観察時間は、システムが適用される場所などにおいて、人の動きがどの程度であるか、例えば、座って執務するのか立って歩く人が多いのかなどを考慮して適宜設定される。人感センサ機器は、熱検出タイプのもの、光反射や光遮断による検出を行うもの、画像による検出を行うものなど各種のものを許容する。制御端末器と中央制御装置の間の通信、また、人感センサ機器と中央制御装置の間の通信は、有線、無線を許容する。人感センサ機器と制御端末器の対応は、一対一、一対多を許容する。即ち、ひとつの人感センサ機器の検出信号に基づきひとつの制御端末器による照明制御がなされるものであっても良いし、ひとつの人感センサ機器の検出信号に基づき複数の制御端末器による照明制御がなされるものであっても良い。
【０００７】
本発明に係る照明制御システムでは、中央制御装置は、所定観察時間内の検知信号の受信回数が所定値以上であれば、照明出力量を人の存在を検出したときから無人状態の規定値に低下させるまでの遅延時間を長くし、所定観察時間内の検知信号の受信回数が所定値未満であれば、照明出力量を無人状態の規定値に低下させるまでの遅延時間を短くするする制御を行うことを特徴とする。なお、遅延時間を長くする時間を第１の時間、遅延時間を短くする時間を第２の時間として、第１の時間を第２の時間より長くしても良い。
【０００８】
本発明に係る照明制御システムでは、遅延時間を経過した人感センサ機器を検出すると、当該人感センサ機器に対応する制御端末器に対し、この人感センサ機器周囲の照明状態情報に基づいて決定した照明制御情報を送ることを特徴とする。
【発明の効果】
【０００９】
本発明に係る照明制御システムによれば、人感センサ機器から検知信号を受け取り、所定観察時間毎の検知信号の受信回数に応じて照明負荷による照明出力量を制御するようにして、照明制御情報を、この人感センサ機器に対応する制御端末器へ送信するので、所定観察時間を、適切に設定しておくことにより、人の動きが余り多くないところにおいても無人であるとして照明制御がなされ、違和感を与えることを回避でき、また、適切に無人を検出して省エネを実現する。
【００１０】
本発明に係る照明制御システムによれば、所定観察時間内の検知信号の受信回数が所定値以上であれば、照明出力量を無人状態の規定値に低下させるまでの遅延時間を長くし、所定観察時間内の検知信号の受信回数が所定値未満であれば、照明出力量を無人状態の規定値に低下させるまでの遅延時間を短くする制御を行うので、人の動きが多いところにおいては必要な照明状態が継続され、また、人の動きが余り多くないところにおいては、無人の照明状態が実現されやすくなり、省エネを図ることができる。
【００１１】
本発明に係る照明制御システムによれば、遅延時間を経過した人感センサ機器を検出すると、当該人感センサ機器に対応する制御端末器に対し、この人感センサ機器周囲の照明状態情報に基づいて決定した照明制御情報を送るので、不自然に一部のエリアが暗くなるなど違和感のある照明状態を回避でき、快適な照明状態を実現できる。
【発明を実施するための最良の形態】
【００１２】
以下添付図面を参照して、本発明に係る照明制御システムの実施例を説明する。各図において同一の構成要素には同一の符号を付して重複する説明を省略する。このシステムはシステムを統括制御する中央制御装置１０に伝送線１１を介して複数の制御端末器２０−１、２０−２、・・・と、人感センサ機器３０−１、３０−２、・・・が接続されている。更に、伝送線１１には必要数の監視端末器４０が接続されている。
【００１３】
図１では、人感センサ機器３０−１と制御端末器２０−１とが対応し、人感センサ機器３０−２と制御端末器２０−２とが対応し、・・・、と一対一にする関係にあるが、１つの人感センサ機器と複数の制御端末器が対応する関係にあっても良い。
【００１４】
制御端末器２０−１、２０−２、・・・には、それぞれ照明負荷２２を備える照明器具２１−１、２１−２、・・・が接続されている。人感センサ機器３０−１、３０−２、・・・は、人の存在を検出すると、検知信号を伝送線１１を介して中央制御装置１０へ送信するものである。
【００１５】
中央制御装置１０は、人感センサ機器３０−１、３０−２、・・・から検知信号を受け取り、所定観察時間毎の検知信号の受信回数に応じて照明負荷による照明出力量を制御するようにして、照明制御情報を、この人感センサ機器に３０−１、３０−２、・・・対応する制御端末器２０−１、２０−２、・・・へ送信するものである。制御端末器２０−１、２０−２、・・・は、自装置に向けて送られた照明制御情報を受けて接続されている照明器具２１−１、２１−２、・・・の照明負荷２２に対する照明制御信号を送出するものである。照明器具２１−１、２１−２、・・・では照明制御信号に応じて照明負荷２２の調光制御やオンオフ制御がなされる。
【００１６】
監視端末器４０は、壁スイッチなどの外部からの入力を検出して中央制御装置１０に通知する。制御端末器２０−１、２０−２、・・・は、監視端末器４０からの入力に応じて中央制御装置１０が送信した制御信号によりリレーなどを制御して照明器具２１−１、２１−２、・・・のオンオフ制御や調光制御を行う。そして、制御端末器２０−１は、必要に応じて監視信号に対して現在の調光階調を中央制御装置１０に返信し、制御端末器２０−２は、必要に応じて監視信号に対して現在のオンオフ状態を中央制御装置１０に返信する。
【００１７】
また、設定器５０は各種端末器のアドレス設定や中央制御装置１０に記憶されるシステムデータ設定を行うものであり、例えば、監視端末器４０または制御端末器２０−１、２０−２、・・・に着脱可能に接続されて、アドレス設定や照明負荷２２の制御データ等のシステムデータ設定が行われる。例えば、設定器５０により監視端末器４０を介して、監視端末器４０や制御端末器２０−１、２０−２、・・・のアドレス、中央制御装置１０内に記憶される照明器具２１−１、２１−２、・・・のグループ制御データやパターン制御データの情報を設定する。
【００１８】
以上のように構成された照明制御システムにおいて、中央制御装置１０は各人感センサ機器に３０−１、３０−２、・・・に対応して、所定観察時間毎の検知信号の受信回数をカウントして、照明出力量を無人状態の規定値に低下させるまでの遅延時間を制御している。例えば、図２に示されるように所定観察時間Ｔ１、Ｔ２、・・・毎に、検知信号Ｐ１，Ｐ２，・・・を受け取る毎に図３、図４のフローチャートに示す処理を行う。
【００１９】
即ち、人感センサ機器から検知信号Ｐ１，Ｐ２，・・・を受け取る毎に、当該人感センサ機器に対応する人検知カウンタをインクリメントする（Ｓ１１）。このステップＳ１１の処理終了により図４のフローチャートに対応する処理がスタートとなり、上記カウンタ（人検知カウンタ）のカウント値が規定以上（例えば、６以上）であるかを検出する（Ｓ１２）。例えば、図２の所定観察時間Ｔ１ではＹＥＳへ分岐し、所定観察時間Ｔ２ではＮＯへ分岐する。
【実施例１】
【００２０】
ステップＳ１２にてＹＥＳへ分岐した場合には遅延時間はその上限値になっているかを検出し（Ｓ１６）、上限値になっている場合にはエンドとなり、上限値になっていない場合には遅延時間を３分増加させて直ぐには照明出力量を無人状態の規定値に低下し難くする。
【００２１】
また、ステップＳ１２にてＮＯへ分岐した場合には遅延時間がその下限値になっているかを検出し（Ｓ１３）、下限値になっている場合にはエンドとなり、下限値になっていない場合には遅延時間を３０秒減少させて（Ｓ１４）、照明出力量を無人状態の規定値に低下させるまでの時間を短くし省エネがなされるように制御する。ステップＳ１４、Ｓ１７の処理終了の場合には当該人検知カウンタをクリアして（Ｓ１５）、エンドとなる。
【００２２】
以上の通りに制御を行うので、人の動きが多いところにおいては必要な照明状態が継続され、また、人の動きが余り多くないところにおいては、無人の場合に対応する照明状態が実現されやすくなり、省エネを図ることができる。
【００２３】
また、中央制御装置１０は、図２のように検知信号Ｐ１，Ｐ２，・・・を受け取る毎に、図５に示す処理を対応の人感センサ機器毎に行う。検知信号を受け取ると、当該人感センサ機器対応のタイマに図４のフローチャートにより決定された遅延時間をセットしてスタートさせる（Ｓ２１）。
【００２４】
ステップＳ２１に続いてタイマのタイムアップを検出し（Ｓ２２）、タイムアップしてなければ、次の検知信号が到来したかを検出する（Ｓ２３）。このステップＳ２３において検知信号の到来を検出できなければステップＳ２２へ戻り、ステップＳ２３において検知信号の到来を検出すると、タイマをリセットし（Ｓ２４）、ステップＳ２１へ戻る。この場合、ステップＳ２１では図４のフローチャートに対応する処理により所定観測時間毎に更新される遅延時間が用いられる。
【００２５】
上記ステップＳ２２において、タイムアップを検出すると、予め定められた照明量（照明レベル）を指示する照明制御情報を当該人感センサ機器対応の制御端末器へ送り（Ｓ２５）エンドとなる。これにより、当該人感センサ機器対応の照明エリアにおいては、無人の場合に対応する照明状態が実現される。
【００２６】
次に、中央制御装置１０が、遅延時間を経過に相当する人感センサ機器を検出すると、当該人感センサ機器に対応する制御端末器に対し、この人感センサ機器周囲の照明状態情報に基づいて決定した照明制御情報を送る処理を行うものであるものを説明する。この構成を備える中央制御装置１０では、例えば図６に示すエリア５において人がいないことが検出され、遅延時間後に無人である場合の照明量（照明レベル）を指示するときには、例えば、中心の該当エリアを含む３×３のエリアにおける中心エリア周囲の８エリアの照明量（照明レベル）を求めて図７に示す処理を行う。
【００２７】
即ち、中心エリア周囲の８エリアの照明量（照明レベル）を取得し（Ｓ３１）、これらの照明量（照明レベル）を加算し、中心エリアを加えたエリア数９で割り算をして、これを制御用の照明量（照明レベル）とする（Ｓ３２）。このようにして決められた照明量（照明レベル）に対応する照明制御情報は図５のステップＳ２５において中央制御装置１０から当該人感センサ機器対応の制御端末器へ送られる。
【００２８】
斯して、不自然に一部のエリアが暗くなるなど違和感のある照明状態を回避でき、快適な照明状態を実現できる。なお、上記例外に、加算値の所定パーセントの照明量（照明レベル）とするなど、様々な決定手法がとられる。また、周囲エリアは３×３に限定されることなく、４×４のエリアとしても良い。
【図面の簡単な説明】
【００２９】
【図１】本発明に係る照明制御システムの実施例を示す構成図。
【図２】本発明に係る照明制御システムにおける遅延時間決定の処理を説明する図。
【図３】本発明に係る照明制御システムにおける遅延時間決定の処理を説明するためのフローチャート。
【図４】本発明に係る照明制御システムにおける遅延時間決定の処理を説明するためのフローチャート。
【図５】本発明に係る照明制御システムにおける遅延時間を経過に相当する場合の照明制御を説明するためのフローチャート。
【図６】本発明に係る照明制御システムにおける遅延時間を経過に相当する場合の照明制御を説明するためのエリアと照明量（照明レベル）の関係を示す図。
【図７】本発明に係る照明制御システムにおける遅延時間を経過に相当する場合の照明制御を説明するためのフローチャート。
【符号の説明】
【００３０】
１０  中央制御装置
１１  伝送線
２０−１、２０−２、・・・  制御端末器
２１−１、２１−２、・・・  照明器具
２２  照明負荷
３０−１、３０−２、・・・  人感センサ機器
４０  監視端末器
５０  設定器
【図１】
2008235121.tif 000003
【図２】
2008235121.tif 000004
【図３】
2008235121.tif 000005
【図４】
2008235121.tif 000006
【図５】
2008235121.tif 000007
【図６】
2008235121.tif 000008
【図７】
2008235121.tif 000009